(57)【要約】【課題】本発明は、バッテリの点検以外の点検事項の自動化または簡略可を実現できるとともに、点検結果の信頼性を向上することができる非常用照明装置を提供する。【解決手段】本実施形態によれば、端子台６の温度上昇の原因が外部要因に基づくものか、または端子台６の接続状態に起因するものかの正確な判断が行えるため、端子台６の接続異常の正確な情報を外部に出力することができる。したがって、接続端子点検の自動点結果検の信頼性が高いものであるため、当該接続端子点検の自動化を採用しやすくなり、誘導灯１のバッテリ点検も含めた定期点検を総合的に容易化することができる。【選択図】図３
2008084780.tif 000002
【特許請求の範囲】
【請求項１】
光源と；
光源を点灯する点灯回路と；
停電時または点検時に点灯回路に電源を供給するバッテリと；
常時にバッテリを充電する充電回路と；
点灯回路、充電回路およびバッテリが収納配置される器具本体と；
器具本体内部の特定部位または雰囲気温度を検出する器具内温度検出手段と；
器具本体外部の周囲温度を検出する器具外温度検出手段と；
器具内温度検出手段と器具外温度検出手段との検出結果に基づいて器具本体内の異常状態を判断する判断部と；
判断部によって器具本体内が異常であると判断されると、異常情報を外部へ出力する出力手段と；
を具備することを特徴とする非常用照明装置。
【請求項２】
判断部は、器具内温度検出手段による検出結果が異常を示す閾値である所定値と、器具外温度検出手段の検出結果が異常を示す閾値である設定値とを有し、前記所定値と前記設定値とを共に超える場合であっても、直ちに器具本体内の異常とは判断ぜず、所定時間経過後に再度器具内温度検出手段の検出結果を検出し、前記所定時間後も器具内温度検出手段の検出結果が前記所定値を超えている場合には、器具本体内の高温状態が長時間続いたことによる不具合が生じる可能性があることを外部に出力することを特徴とする請求項１記載の非常用照明装置。
【請求項３】
器具内温度検出手段は、停電時または点検時には点灯回路の特定部位の温度を検出するとともに、常時には充電回路の特定部位または点灯回路の特定部位の温度を検出して判断部へ出力することで、判断部が各回路の動作異常を検出することができることを特徴とする請求項１または２記載の非常用照明装置。
【発明の詳細な説明】
【技術分野】
【０００１】
本発明は、非常用照明装置に関する。
【背景技術】
【０００２】
従来、非常用照明装置は、非常時において人を誘導または人の視覚を確保できる程度の照度を得られるように確実に光源が点灯することが最も重要であるので、定期的に諸事項を点検することが義務付けられているものである。
【０００３】
この定期的に点検を行う事項の一つに、例えば誘導灯であればバッテリからの電力供給によって所定時間（例えば２０分間）光源が点灯するかという点検（以下、「非常点検」という。）があり、これを、一つの制御盤と複数の誘導灯とを専用線で接続し、遠隔制御にて自動的に複数の誘導灯の非常点検を行うことが知られている（例えば、特許文献１参照。）
【０００４】
しかしながら、定期的な点検として、上記の非常点検以外に例えば誘導灯であると誘導灯の外観上の不具合がないかという外観検査、或いは電源端子台の接続端子の接続不良がないかという接続端子点検等もある。そして、特許文献１のような技術ではこれらの検査、点検は自動化することができないという課題があった。
【０００５】
そこで、本願出願人は、接続端子点検について、接続端子である端子台に温度検出手段を配設し、当該温度検出手段が接続端子の異常を検出するとその検出結果を報知するため、自動点検化を図れるまたは点検作業の効率化を図れるという出願をした（例えば特許文献２参照）。
【特許文献１】特開平８−１８０９８０号公報
【特許文献２】特開２００５−９３１３６号公報
【発明の開示】
【発明が解決しようとする課題】
【０００６】
しかしながら、特許文献２の技術は、器具本体内に配設された端子台の温度を検出するようにしているものであるが、例えば誘導灯が設置されている場所へ太陽からの直接光が照射されたり、誘導灯の近くに光出力の大きな別の照明器具が配設されている場合等において、当該誘導灯の周囲温度が上昇してしまう場合には器具本体内の雰囲気温度や端子台周囲の温度も上昇してしまうため、正確な器具本体内の温度検出を行えない場合があり、本来は器具本体内で何ら異常が生じていないにも関わらず、誘導灯以外の外部要因によって誤って異常と検出してしまう虞があった。
【０００７】
これでは、本来は異常ではない状態を異常と検出してしまうため、点検結果の信頼性が低下してしまうこともあり、接続端子点検の自動化や器具本体内の異常を自動的に検出する点検の実現が困難になることが考えられる。
【０００８】
本発明は上記に鑑みなされたものであり、バッテリの点検以外の点検事項の自動化または簡略可を実現できるとともに、点検結果の信頼性を向上することができる非常用照明装置を提供することを目的とする。
【課題を解決するための手段】
【０００９】
請求項１に記載の非常用照明装置によれば、光源と；光源を点灯する点灯回路と；停電時または点検時に点灯回路に電源を供給するバッテリと；常時にバッテリを充電する充電回路と；点灯回路、充電回路およびバッテリが収納配置される器具本体と；器具本体内部の特定部位または雰囲気温度を検出する器具内温度検出手段と；器具本体外部の周囲温度を検出する器具外温度検出手段と；器具内温度検出手段と器具外温度検出手段との検出結果に基づいて器具本体内の異常状態を判断する判断部と；判断部によって器具本体内が異常であると判断されると、異常情報を外部へ出力する出力手段と；を具備していることを特徴としている。
【００１０】
また請求項２に記載の非常用照明装置によれば、請求項１記載の非常用照明装置判断部において、器具内温度検出手段による検出結果が異常を示す閾値である所定値と、器具外温度検出手段の検出結果が異常を示す閾値である設定値とを有し、前記所定値と前記設定値とを共に超える場合であっても、直ちに器具本体内の異常とは判断ぜず、所定時間経過後に再度器具内温度検出手段の検出結果を検出し、前記所定時間後も器具内温度検出手段の検出結果が前記所定値を超えている場合には、器具本体内の高温状態が長時間続いたことによる不具合が生じる可能性があることを外部に出力することを特徴とする。
【００１１】
また請求項３に記載の非常用照明装置によれば、請求項１または２記載の非常用照明装置において、器具内温度検出手段は、停電時または点検時には点灯回路の特定部位の温度を検出するとともに、常時には充電回路の特定部位または点灯回路の特定部位の温度を検出して判断部へ出力することで、判断部が各回路の動作異常を検出することができることを特徴とする。
【００１２】
本発明および以下の発明において、特に指定しない限り用語の定義および技術的意味は次による。
【００１３】
点灯回路は、光源を点灯させる手段であり、例えばインバータなどを主体として構成することができる。バッテリは、非常時に光源を所定時間の間点灯させるための電源を光源、点灯回路および点検手段などに供給する手段であって、充電池または電気二重層コンデンサ等を適宜用いることができる。充電回路は、バッテリを充電する手段であり、例えば商用電源を整流して直流電圧を得てバッテリを充電する。なお、バッテリおよび充電回路は、器具本体に内蔵されていてもよいし、また別置形であってもよい。
【００１４】
また本発明における「器具本体内部の特定部位または雰囲気温度」とは、器具本体内の空間内の温度を検出してもよいし、端子台、点灯回路、バッテリまたは光源等の特定部品の特定箇所の温度を検出するように設けてもよいものである。
【００１５】
同じく本発明における「器具本体外部の周囲温度」とは、器具本体の近くのみならず、器具本体が配設されている箇所の所望の箇所の温度を検出することができるようになっているものも含む。
【００１６】
同じく本発明における「器具内温度検出手段と器具外温度検出手段との検出結果に基づいて器具本体内の異常状態を判断する」とは、例えば器具内温度検出手段による検出結果と器具外温度検出手段の検出結果との差が所定値よりも大きくなった場合に異常と判断することも含むし、器具内温度検出手段による検出結果と器具外温度検出手段の検出結果とがそれぞれ設定された閾値を越えるか否によって異常と判断するものも含む。
【００１７】
同じく本発明における「器具本体内が異常」とは、器具本体内の空間内の温度が予め定められている所定値よりも高温となった場合や特定部材の温度が所定値よりも高温となった場合を含むものである。また、器具本体内の異常検出は、前記所定値を超えて直ぐに異常と判断することも含むし、所定値を越えた状態が所定時間経過すると異常と判断することも含むものである。
【００１８】
なお、非常用照明装置は、いわゆる誘導灯または非常灯等を含むものである。
【００１９】
本発明は、器具内温度検出手段による検出結果と器具外温度検出手段との差を用いて器具異常を判断する形態であると、前記差が所定値よりも大きい場合に判断部は、器具内部で例えば端子台の電線の接続異常や点灯装置の電子部品の異常発熱等、何らかの異常状態であること判断する。
【００２０】
また本発明において、器具内、外検出手段の各検出手段後とに閾値を設定する形態である場合は、以下のように判断する。すなわち、器具内温度検出手段による検出結果が器具本体内の異常を示す閾値である予め設定された所定値よりも低である場合には、器具外温度検出手段による検出結果が如何に関わらず判断部は器具本体内は正常と判断する。なお、前記正常情報は、外部へ出力してもよいし、出力しなくともよいものである。
【００２１】
一方、器具内温度検出手段による検出結果が所定値よりも高である場合、器具外温度検出結果の検出結果も参照して判断部は器具本体内の正常、異常を判断する。すなわち、器具内温度検出手段による検出結果が所定値よりも高であって、器具外温度検出手段の検出結果が器具外の周囲温度の異常を示す閾値である設定値よりも低である場合には、判断部は器具内部で例えば端子台の電線の接続異常や点灯装置の電子部品の異常発熱等、何らかの異常状態であること判断する。そして、この異常状態は、適宜外部へ出力されることになる。なお、「外部へ出力」とは、例えば異常情報報知用の発光部等の報知手段による報知であったり、遠隔制御盤へ有線または無線による伝送を行うこと等を含むものであり、異常情報が器具本体外へ伝達することができれば特に限定しないものである。
【００２２】
また、器具内温度検出手段による検出結果が所定値よりも高であって、器具外温度検出手段の検出結果が器具外の周囲温度の異常を示す閾値である設定値よりも高である場合には、判断部は直ちに器具本体内の異常とは判断しないので、器具本体内の異常情報は外部へ出力されない。
【００２３】
また、例えば器具内温度検出手段による検出結果が所定値よりも高であって、器具外温度検出手段の検出結果が器具外の周囲温度の異常を示す閾値である設定値よりも高である場合には、所定時間経過後に再度器具内温度検出手段の検出結果を読み込むこともできる。そして、所定時間後も器具内温度検出手段の検出結果が高であるような場合には、器具内温度が高い状態が長時間続いたことによる何らかの不具合を生じる可能性があることの警報情報が外部に出力されるようにしてもよい。これにより、器具本体内に配置されている端子台、電子部品、バッテリおよび光源等が熱による不具合を生じるまたは生じている可能性を外部で認識することができるので、この情報に基づき点検作業者等は直接非常用照明装置の目視確認や必要部材の交換を行うことで、非常用照明装置の信頼性が向上する。
【００２４】
また、器具内温度検出手段は、停電時または点検時には点灯回路の特定部位の温度を検出するとともに、常時には充電回路の特定部位または点灯回路の特定部位の温度を検出することもできる。これは、点灯回路や充電回路は、必要時に動作するものであるので、動作することにより、各回路を構成する電気部品または電子部品は発熱する。したがって、これを検出することで、各回路の動作異常の検出が行えるというものである。そして、器具内温度検出手段と器具外温度検出手段の検出結果に基づいて判断部が各回路の動作異常を判断するようになっている。なお、点灯回路は、誘導灯のように常時と非常時ともに動作するものであってもよいし、非常灯のように非常時のみ動作するものであってもよく、検出箇所および検出対象の回路は適宜設定に応じて設けることができる。
【００２５】
本発明によれば、器具内温度の上昇の原因が外部要因に基づくものか、または器具内の要因に関するものかの正確な判断が行えるため、正確な器具本体内異常の情報を外部に出力することができる。
【００２６】
また本発明によれば、器具内温度検出手段および器具外温度検出手段がともに所定値または設定値よりも高である場合にも直ちに器具内異常と認識しないので、頻繁に器具内異常の情報を外部に出力することがない。また、所定時間経過後に再度器具内温度検出手段の検出結果を読み込んで器具内異常を判断するので、器具本体内で異常が生じている可能性があることを外部に出力することができる。
【００２７】
また本発明によれば、各回路の動作異常を検出することができるので、非常用照明装置の信頼性をより高めることができる。
【発明の効果】
【００２８】
請求項１記載の発明によれば、器具内温度の上昇の原因が外部要因に基づくものか、または器具内の要因に関するものかの正確な判断が行えるため、正確な器具内異常の情報を外部に出力することができる。したがって、器具内要因に関する非常用照明装置の点検の自動化または簡略化を実施したとしても点検結果の信頼性が高いものを得ることができる。
【００２９】
請求項２記載の発明によれば、器具内温度検出手段および器具外温度検出手段がともに所定値または設定値よりも高である場合にも直ちに器具内異常と認識しないので、頻繁に器具内異常の情報を外部に出力することがなく、不所望な情報伝達を防ぐことができる。
【００３０】
また、所定時間経過後に再度器具内温度検出手段の検出結果を読み込んで器具内異常を判断するので、器具本体内で異常が生じている可能性があることを外部に出力することができる。したがって、器具本体内に配置されている部材が不具合を生じるまたは生じている可能性が外部で認識することができるので、非常用照明装置の信頼性を向上させることができる。
【００３１】
請求項３記載の発明によれば、器具内温度検出手段は、停電時または点検時には点灯回路の特定部位の温度を検出するとともに、常時には充電回路の特定部位または点灯回路の特定部位の温度を検出して判断部へ出力することにより、判断部が各回路の動作異常を検出することができるので、定期点検以外にもタイムリーに非常用照明装置の異常を報知することができ、非常用照明装置の信頼性をより向上させることができる。
【発明を実施するための最良の形態】
【００３２】
本発明の一実施形態を図面を参照して説明する。図１は第一実施形態の非常用照明装置である誘導灯を示した一部切欠き断面正面図、図２は本実施形態の誘導灯の斜視図、図３は本実施形態の誘導灯の回路構成図である。
【００３３】
非常用照明装置である誘導灯１は、器具本体９、点灯ユニット収納ボックス２、光源３、バッテリ２０、誘導表示体８、点検ユニット５０、異常報知７０等を具備しているものであって、天井または壁面に取付けられるものである。
【００３４】
器具本体９は、周枠部９１を有しており、その周枠部９１の一方側には開口部９８が形成され、他方側には底板９９が形成されている。
【００３５】
また器具本体９の周枠部９１の底辺９１Ａには第一、第二、第三および第四の孔部９２Ａ，９２Ｂ、９３，９４が形成されている。
【００３６】
また器具本体９の周枠部９１と底板９９とで形成された空間には電気部品収納部９５が形成されており、この収納部９５内に後述する点灯ユニット収納ボックス２、バッテリ２０、点検ユニット５０、異常報知ユニット７０および図示しない端子台が収納配置される。
【００３７】
また器具本体９の底板９９には点灯ユニット収納ボックス２の上方に壁面側から挿入される電源線の挿通用の電源線挿通孔９６が形成されており、同じく底板９９には誘導灯１を壁面に取付ける際に用いる取付用孔９７が形成されている。なお、端子台は、図１で誘導表示体８によって隠れている電気部品収納部９５内であって電源線挿通孔の近くに配設されている。
【００３８】
光源３は、冷陰極蛍光ランプであって、誘導表示体８の上方に光源ホルダ３１によって位置するように設けられている。なお、この光源ホルダ３１は、両端部にソケット３２を具備し、さらに光源３の一部を覆うように反射板３３が形成されているものである。
【００３９】
誘導表示体８は、表面に避難方向を示すシンボルが表示されるように形成されるものであって、本実施形態においては、その内部に図示しない導光板を有し、その導光板を重なるようにシンボルが印刷等された表示板を設けているものである。そして、上記導光板の一端部側から上記した光源３の出射光を入射させてシンボルを照明／表示させるものである。
【００４０】
点灯ユニット収納ボックス２は、内部に後述する点灯回路１０等、光源３の点灯装置、バッテリ２０の充電回路および種々の制御を行う制御部等が収納されている。そして、この点灯ユニット収納ボックス２はネジ２１により器具本体９に固定されている。
【００４１】
バッテリ２０は、器具本体９の周枠部９１の底辺９１Ａであって、電気部品収納部９５側に位置するように底辺９１Ａに載置されている。そして、図示しない配線によって点灯ユニット収納ボックス２内の点灯ユニット１０と電気的接続がなされている。
【００４２】
点検ユニット５０は、図１，２に示したように、底部５８から露出するように押圧式の点検スイッチ５が設けられているとともに、底部５８にはバッテリの寿命末期等を報知するバッテリ状態報知部としてのＬＥＤ７が設けられている。そして、点検ユニット５０の点検スイッチ５およびＬＥＤ７は、器具本体９の底辺９１Ａの第三および第四の孔部９３，９４から外方へ臨むように配設される。
【００４３】
異常報知ユニット７０は、図１、２に示したように、器具本体９の底辺９１Ａに載置して固定されている。そして、図２に示すように、器具内異常を報知するＬＥＤからなる異常報知部７２は底辺９１Ａの第一の孔部９２Ａと対向するように配設されており、器具本体９内で何かしらの異常を生じている可能性を報知するＬＥＤからなる確認警報部７３も底辺９１Ａの第二の孔部９２Ｂと対向するように配設されている。
【００４４】
そして点検ユニット５０と異常報知ユニット７０とは、配線５１、７８を介して点灯ユニット収納ボックス２内の点灯ユニット１０と電気的接続がなされているものである。また、ＬＥＤ７、異常報知部７２のＬＥＤおよび確認警報部部７３のＬＥＤはそれぞれ異なる色表示を行うものである。
【００４５】
次に本実施形態の誘導灯１の回路構成について図３を参照して説明する。
【００４６】
図３の一点鎖線で示した器具本体９内には、点灯ユニット収納ボックス２に収納された常用点灯回路１４、充電回路１５、発振制御部１６、点灯回路であるインバータ回路１７、制御ユニット１９および器具内異常検出ユニット６５、そして端子台６、点検ユニット５０および異常報知ユニット７０が収納されている。そして、商用電源１１からの電力は端子台６に接続された配線１１ａを介して器具内側の整流回路１２に入力され、トランス１３を介して常用点灯回路１４および充電回路１５に入力される。そして、常用点灯回路１４は発振制御部１６により制御され、トランス１を介して入力された電力をインバータ回路１７で高周波電力に変換して光源３に点灯電力を供給する。
【００４７】
また、発振制御部１６は、制御ユニット１９の点灯制御部１９Ａからの制御指令に基づいて制御され、常用点灯モードのときに常用点灯回路１４により光源３を高周波点灯させる。なお、図示しないが、点検スイッチ５も点灯ユニット１０に接続されている。
【００４８】
一方、充電回路１５は、商用電源１１の非常時にバッテリ２０からの電源をインバータ回路１７を介して光源３に給電して光源３を点灯させるものであり、常用点灯モードのときには、トランス１３からの電力をバッテリ２０に充電している。そして、商用電源１１が停電等の非常時には、点灯制御部１９Ａは、充電回路１５に動作指令を出力してバッテリ２０の充電電力をインバータ回路１７に供給させる。これにより、商用電源１１の停電時にはバッテリ２０からの充電電力がインバータ回路１７で高周波変換されて光源３に給電される。これにより、商用電源１１が停電した場合であっても誘導灯１の光源３の点灯を継続できるようにしている。
【００４９】
点検ユニット５０は、点検スイッチ５の操作によって点検制御部１９Ｂの点検動作が開始するものであって、その結果が点検制御部１９Ｂから記憶手段６４とＬＥＤ７とへ出力されるようになっている。
【００５０】
また、点検スイッチ５の操作によって制御ユニット１９の器具内温度検出部６１、器具外温度検出部６２および判断部６３も動作するようになっている。
【００５１】
そして、この器具内温度検出部６１は、端子台６に設けられた感温素子６６と接続されており、端子台６の各端子近傍の温度を検出できるようになっている。また、器具外温度検出部６２は、器具本体９の外部に設けられた温度センサー６７と接続されており、温度センサー６７の検出結果が入力されるものである。これら器具内温度検出部６１と器具外温度検出部６２とで検出された各温度は、判断部６３に入力される。
【００５２】
異常報知ユニット７０は、異常報知部７２と確認警報部部７３とを有するものであって、判断部６３の判断結果が入力されると対応するＬＥＤが点灯ないし点滅するようになっている。
【００５３】
なお、記憶部６４は、点検制御部１９Ｂによる点検結果や判断部６３による判断結果等が適宜記憶されるとともに、逐次制御ユニット１９へも記憶部６４の情報を出力するようになっている。
【００５４】
本実施形態の動作について説明する。まず、点検スイッチ５を操作すること点検開始指令が点検制御部１９Ｂに入力されるので、点検制御部１９Ｂは非常点検モードとなるように点灯制御部１９Ａの制御を行う。そして、非常点検モードとなった点灯制御部１９Ａは、発振制御部１６に対して常用点灯回路１４からの電力供給よって光源３が点灯されないように指令を出力すると共に、充電回路１５のバッテリ２０からインバータ回路１７に充電電力の供給をするように動作指令を出力する。これにより、模擬停電状態となって非常点検モードとなる。そして、所定時間（例えば２０分）経過後または所定時間経過中にバッテリ電圧およびランプ点灯状況等の検出し、その検出結果を記憶部６１に記憶する。
【００５５】
非常点検モード終了後においては、点灯制御部１９Ａが発振制御部１６に対して動作指令を出力して常用点灯回路１４を動作させると共に、バッテリ２０の放電を停止させ常用点灯モードに復帰させることとなる。
【００５６】
さらに本実施形態では、非常点検モードの場合に端子台６の接続端子点検が自動的に行われるようになっている。すなわち、点検制御部１９Ｂの非常点検モード開始制御と同時に判断部６３に接続端子点検を開始する信号が点検制御部１９Ｂから入力される。すると、判断部６３では器具内温度検出部６１に感温素子６６から出力された端子台６の各端子の温度情報が入力されるとともに、器具外温度検出部６２に温度センサ６７から出力された器具本体９外の周囲温度情報が入力される。
【００５７】
そして、判断部６３は、器具内温度検出部６１による検出結果が端子台６の端子の接続異常を示す閾値である所定値よりも低である場合には、器具外温度検出部６２による検出結果如何に関わらず端子台６の接続状態は正常と判断する。
【００５８】
一方、器具内温度検出部６１による検出結果が所定値よりも高である場合、器具外温度検出部６２の検出結果も参照して判断部６３は端子台６の正常、異常を判断する。すなわち、この場合には、判断部６３は端子台６の接続異常による温度上昇が生じている異常状態であると判断する。そこで、端子台６の端子の接続異常の情報は、異常報知ユニット７０の異常報知部７２のＬＥＤが点滅等することで、外部作業者等が異常を認識することができる。
【００５９】
また、器具内温度検出部６１による検出結果が所定値よりも高であって、器具外温度検出部６２の検出結果が器具本体９外の周囲温度の異常を示す設定値よりも高である場合には、判断部６２は直ちに器具本体９内の異常とは判断しない。そして、この場合、所定時間経過後に再度器具内温度検出部６１の検出結果を判断部６３が読み込むことようになっている。この際、所定時間後も器具内温度検部６１の検出結果が高であるような場合には、端子台６の端子の温度異常状態が長時間続いたことによる端子台６の不具合または器具本体９内の温度が長時間高温状態であったことによって各種電子部品が不具合を生じる可能性または生じている可能性があることを判断部６３から異常報知部７０の確認警報部部７３へ出力される。
【００６０】
本実施形態によれば、端子台６の温度上昇の原因が外部要因に基づくものか、または端子台６の接続状態に起因するものかの正確な判断が行えるため、端子台６の接続異常の正確な情報を外部に出力することができる。したがって、接続端子点検の自動点結果検の信頼性が高いものであるため、当該接続端子点検の自動化を採用しやすくなり、誘導灯１のバッテリ点検である非常点検以外も定期点検の自動化を図れるので、総合的に定期点検を容易化することができる。
【００６１】
また本実施形態によれば、器具内温度検出部６１および器具外温度検出部６２がともに所定値または設定値よりも高である場合には直ちに器具内異常と認識しないので、頻繁に端子台６の接続異常である情報を外部に出力することがない。これにより、本来は、端子台６の端子の接続異常ではないにも関わらず、誤って接続異常と誤判断されないとともに、不必要に異常情報が外部に出力されないので、点検作業者の確認の手間が不所望に増えないようにしている。
【００６２】
また、所定時間経過後に再度器具内温度検出部６１の検出結果を読み込んで温度状態を検出するので、器具本体９内のいずれかの部材が器具本体９外の周囲温度による影響によって、何らかの異常を生じしている可能性が高いことを確認警報部部７３を用いて外部作業者等へ報知することができる。したがって、確認警報部７３の点灯状態によって、作業者等に誘導灯１内外を直接目視および動作確認すること促すことができるため、結果的に誘導灯１の不具合が発生することを抑制することができ、防災器具としての信頼性を向上させることができる。
【００６３】
なお、本実施形態においては、端子台６の接続異常を異常報知部７２を介して出力するものであるが、例えば、遠隔制御盤へ当該異常情報を出力するような構成でもよいものである。また、仮に端子台６の接続異常となった場合には、点灯制御部１９Ａへも当該情報が出力され、この点灯制御部１９Ａがインバータ１７の出力を停止するように動作してもよい。
【００６４】
また、本実施形態においては、各検出部６１，６２の閾値に基づいて異常を判断するものであるが、各検出部６１，６２の検出結果の差から異常を判断するものでもよい。
【００６５】
また、本実施形態においては、端子台６の温度を検出するようにしているが、充電回路１５やインバータ回路１７の温度を器具内温度検出部６１で検出するようにしてもよく、この場合、例えばインバータ回路１７は常時、非常時および非常点検時に動作していなければならないため、殆ど発熱している状態であるにも関わらず、所定の閾値よりも下回る場合には、インバータ回路１７の動作異常と判断部６３が判断する。また、例えば充電回路１５は、常時には動作し、非常時および非常点検時には動作しないものであるため、常時の発熱を示す所定の閾値よりも下回る場合や、非常に非動作を示す所定の閾値を上回る場合には充電回路１５の動作異常と判断部６３が判断する。これにより、判断部６３は異常報知部７２に出力することで、外部からいずれかの回路が動作異常であることを認識することができ、誘導灯１の信頼性を高めることがができる。
【図面の簡単な説明】
【００６６】
【図１】本実施形態の非常用照明装置である誘導灯を示した一部切欠き断面正面図
【図２】本実施形態の誘導灯の斜視図
【図３】本実施形態の誘導灯の回路構成図
【符号の説明】
【００６７】
１…非常用照明装置である誘導灯、１７…点灯回路であるインバータ回路、３・・・光源、１５…充電回路、９…器具本体、６１…器具内温度検出部、６２…器具外温度検出部、６３…判断部、７０…出力手段である異常報知ユニット
【図１】
2008084780.tif 000003
【図２】
2008084780.tif 000004
【図３】
2008084780.tif 000005